(57)【要約】      （修正有）【課題】無線ネットワークにおける伝送パラメータを決定する技術を提供する。【解決手段】方法は、伝送パラメータを決定するためにネットワーク要素によって使用される送信設定情報を受信することと、送信設定情報に少なくとも部分的に基づいてネットワーク要素によって使用される伝送パラメータを決定することとを含む。送信設定情報は、第１、第２又は第３のパラメータセットを含む。第１のパラメータセットは、第１の繰り返しレベルセットインデックス、第１の繰り返しレベルインデックス、第１のリソース割り当て、第１の送信ブロックサイズインデックスを含む。第２のパラメータセットは、第２の繰り返しレベルインデックス、第２のリソース割り当て、第２の送信ブロックサイズインデックスを含む。第３のパラメータセットは、変調符号化スキームレベルインデックス、第３のリソース割り当て、第３の送信ブロックサイズインデックスを含む。【選択図】図３
2020039170.tif 000002
【特許請求の範囲】
【請求項１】
伝送パラメータを決定するためにネットワーク要素によって使用される送信設定情報を移動端末へと送信することを含む方法であって、前記送信設定情報が、
第１の繰り返しレベルセットインデックス、第１の繰り返しレベルインデックス、第１のリソース割り当て、および第１の送信ブロックサイズインデックスを少なくとも含む第１のパラメータセット、または、
第２の繰り返しレベルインデックス、第２のリソース割り当て、および第２の送信ブロックサイズインデックスを少なくとも含む第２のパラメータセット、または、
変調符号化スキームレベルインデックス、第３のリソース割り当て、および第３の送信ブロックサイズインデックスを少なくとも含む第３のパラメータセット、
を含み、前記第１の繰り返しレベルセットインデックスは第１の繰り返しレベルセットを標示し、前記第１の繰り返しレベルセットは送信ブロックサイズテーブルに関連する、方法。
【請求項２】
前記送信設定情報は前記第１のパラメータセットを含み、前記伝送パラメータは繰り返し数を少なくとも含み、前記繰り返し数は、前記第１の繰り返しレベルセットインデックスおよび前記第１の繰り返しレベルインデックスに少なくとも部分的に基づいて決定される、請求項１に記載の方法。
【請求項３】
前記送信設定情報は前記第１のパラメータセットを含み、１つの第１の繰り返しレベルセットインデックスは、２つ以上の第１の送信ブロックサイズインデックスに対応する、請求項１または２に記載の方法。
【請求項４】
前記送信設定情報は前記第１のパラメータセットを含み、前記伝送パラメータは送信ブロックサイズを少なくとも含み、前記送信ブロックサイズは、前記第１の繰り返しレベルセットインデックス、前記第１のリソース割り当て、および前記第１の送信ブロックサイズインデックスに少なくとも部分的に基づいて決定される、請求項１から３のいずれかに記載の方法。
【請求項５】
前記送信設定情報は前記第１のパラメータセットを含み、前記第１の繰り返しレベルセットインデックスおよび前記第１の繰り返しレベルインデックスの送信頻度は、前記第１のリソース割り当ておよび前記第１の送信ブロックサイズインデックスの送信頻度以下である、請求項１から４のいずれかに記載の方法。
【請求項６】
前記送信設定情報は前記第２のパラメータセットを含み、前記伝送パラメータは、第２の送信ブロックサイズを少なくとも含み、前記第２の送信ブロックサイズは、前記第２のリソース割り当ておよび前記第２の送信ブロックサイズインデックスに少なくとも部分的に基づいて決定される、請求項１に記載の方法。
【請求項７】
前記送信設定情報は前記第２のパラメータセットを含み、第２の繰り返しレベルセットインデックスはそれぞれ、互いに重複しない第２の送信ブロックサイズインデックスのそれぞれのセットに対応する、請求項６に記載の方法。
【請求項８】
前記送信設定情報は前記第２のパラメータセットを含み、前記第２の繰り返しレベルセットインデックスは、前記第２の送信ブロックサイズインデックスのそれぞれのセットに少なくとも部分的に基づいて決定される、請求項７に記載の方法。
【請求項９】
前記送信設定情報は前記第２のパラメータセットを含み、前記伝送パラメータは繰り返し数を少なくとも含み、前記繰り返し数は、前記第２の繰り返しレベルセットインデックスおよび前記第２の繰り返しレベルインデックスに少なくとも部分的に基づいて決定される、請求項８に記載の方法。
【請求項１０】
前記送信設定情報は前記第３のパラメータセットを含み、第３の繰り返しレベルセットインデックスが前記変調符号化スキームレベルインデックスに少なくとも部分的に基づいて決定される、請求項１に記載の方法。
【請求項１１】
前記送信設定情報は前記第３のパラメータセットを含み、前記伝送パラメータは第３の送信ブロックサイズを少なくとも含み、前記第３の送信ブロックサイズは、前記第３のリソース割り当ておよび前記第３の送信ブロックサイズインデックスに少なくとも部分的に基づいて決定される、請求項１または１０に記載の方法。
【請求項１２】
前記送信設定情報は前記第３のパラメータセットを含み、繰り返しレベルインデックスはそれぞれ、互いに重複しない送信ブロックサイズ範囲に対応する、請求項１１に記載の方法。
【請求項１３】
前記送信設定情報は前記第３のパラメータセットを含み、第３の繰り返しレベルインデックスが前記第３の送信ブロックサイズおよび前記送信ブロックサイズ範囲に少なくとも部分的に基づいて決定される、請求項１２に記載の方法。
【請求項１４】
前記送信設定情報は前記第３のパラメータセットを含み、前記伝送パラメータは繰り返し数を少なくとも含み、前記繰り返し数は、前記第３の繰り返しレベルセットインデックスおよび前記第３の繰り返しレベルインデックスに少なくとも部分的に基づいて決定される、請求項１３に記載の方法。
【請求項１５】
大きめの送信ブロックサイズは大きいパケットの送信用で、小さめの送信ブロックサイズは小さいパケットの送信用である、請求項１から１４のいずれかに記載の方法。
【請求項１６】
放送信号、ユーザ機器指定無線リソース制御シグナリング、および物理層シグナリングの内の少なくとも１つによって前記送信設定情報を送信することを含む、請求項１から１５のいずれかに記載の方法。
【請求項１７】
伝送パラメータを決定するためにネットワーク要素によって使用される送信設定情報を受信することと、
前記送信設定情報に少なくとも部分的に基づいて前記ネットワーク要素によって使用される伝送パラメータを決定することと、
を含む方法であって、前記送信設定情報が、
第１の繰り返しレベルセットインデックス、第１の繰り返しレベルインデックス、第１のリソース割り当て、および第１の送信ブロックサイズインデックスを少なくとも含む第１のパラメータセット、または、
第２の繰り返しレベルインデックス、第２のリソース割り当て、および第２の送信ブロックサイズインデックスを少なくとも含む第２のパラメータセット、または、
変調符号化スキームレベルインデックス、第３のリソース割り当て、および第３の送信ブロックサイズインデックスを少なくとも含む第３のパラメータセット、
を含み、前記第１の繰り返しレベルセットインデックスは第１の繰り返しレベルセットを標示し、前記第１の繰り返しレベルセットは送信ブロックサイズテーブルに関連する、方法。
【請求項１８】
前記送信設定情報は前記第１のパラメータセットを含み、前記伝送パラメータは繰り返し数を少なくとも含み、前記繰り返し数は、前記第１の繰り返しレベルセットインデックスおよび前記第１の繰り返しレベルインデックスに少なくとも部分的に基づいて決定される、請求項１７に記載の方法。
【請求項１９】
前記送信設定情報は前記第１のパラメータセットを含み、１つの第１の繰り返しレベルセットインデックスは、２つ以上の第１の送信ブロックサイズインデックスに対応する、請求項１７または１８に記載の方法。
【請求項２０】
前記送信設定情報は前記第１のパラメータセットを含み、前記伝送パラメータは送信ブロックサイズを少なくとも含み、前記送信ブロックサイズは、前記第１の繰り返しレベルセットインデックス、前記第１のリソース割り当て、および前記第１の送信ブロックサイズインデックスに少なくとも部分的に基づいて決定される、請求項１７から１９のいずれかに記載の方法。
【請求項２１】
前記送信設定情報は前記第１のパラメータセットを含み、前記第１の繰り返しレベルセットインデックスおよび前記第１の繰り返しレベルインデックスの受信頻度は、前記第１のリソース割り当ておよび前記第１の送信ブロックサイズインデックスの受信頻度以下である、請求項１７から２０のいずれかに記載の方法。
【請求項２２】
大きめの送信ブロックサイズは大きいパケットの送信用で、小さめの送信ブロックサイズは小さいパケットの送信用である、請求項１７から２１のいずれかに記載の方法。
【請求項２３】
前記受信することは、放送信号、ユーザ機器指定無線リソース制御シグナリング、および物理層シグナリングの内の少なくとも１つによって前記送信設定情報を受信することを含む、請求項１７から２２のいずれかに記載の方法。
【請求項２４】
処理手段及び記憶手段を備える装置であって、前記記憶手段はプログラム命令を格納し、前記プログラム命令は、前記処理手段に実行されると、前記装置に、請求項１から１６の何れかに記載の方法を遂行させるように構成される、装置。
【請求項２５】
装置の処理手段に実行されると、前記装置に、請求項１から１６の何れかに記載の方法を遂行させるように構成されるプログラム命令を備える、コンピュータプログラム。
【請求項２６】
処理手段及び記憶手段を備える装置であって、前記記憶手段はプログラム命令を格納し、前記プログラム命令は、前記処理手段に実行されると、前記装置に、請求項１７から２３の何れかに記載の方法を遂行させるように構成される、装置。
【請求項２７】
装置の処理手段に実行されると、前記装置に、請求項１７から２３の何れかに記載の方法を遂行させるように構成されるプログラム命令を備える、コンピュータプログラム。
【発明の詳細な説明】
【関連出願の相互参照】
【０００１】
本願は、２０１５年５月１４日に出願された米国仮出願第６２／１６１４２２号の優先権を主張し、その内容は全体として、参照により本願に組み込まれる。
【技術分野】
【０００２】
本開示の実施形態は、概して無線通信に関し、より詳細には、無線ネットワークにおける伝送パラメータを決定することに関する。
【関連技術の説明】
【０００３】
無線ネットワークにおいて、ネットワーク要素は、制御シグナリングあるいはその他の適切な方法によって、移動端末に対して当該ネットワーク要素によって使用される伝送パラメータを示す場合がある。例えば、現行のロングタームエボリューション（Long Term Evolution：ＬＴＥ）システムでは、ユニキャスト送信の際、発展型（Evolved）ノードＢ（ｅＮＢ）は予定されたユーザ機器（User Equipment：ＵＥ）に対し、変調符号化スキーム（Modulation and Coding Scheme：ＭＣＳ）を下り制御情報（Downlink Control Information：ＤＣＩ）にて示す。伝送パラメータは、変調符号化スキーム、リソース割り当て、パケットサイズ等を含んでもよい。移動端末は、それにより、ネットワーク要素からこれらの伝送パラメータに従って送信される情報を受信できるようになる。ネットワーク要素は、パケットごとに同一または異なる伝送パラメータを設定してもよい。
【０００４】
ＬＴＥマシン型通信（Machine Type Communication：ＭＴＣ）のような無線通信の種類によっては、ｅＮＢは、物理下り共有チャネル（Physical Downlink Sharing Channel：ＰＤＳＣＨ）送信の際、１つ以上（最大６つ）の物理リソースブロック（Physical Resource Block：ＰＲＢ）対を、最初のサブフレームにおける特定の１．４ＭＨｚ領域に割り当て、以降の多数のサブフレームにてＰＤＳＣＨを繰り返す。カバレッジ拡張（Coverage Enhanced：ＣＥ）モードのＬＴＥ  ＭＴＣのＵＥに対しても、ｅＮＢは繰り返しレベルをＵＥに割り当てる。これにより、ＵＥはＰＤＳＣＨ送信における繰り返し数を把握できる。現状では、いかにこの伝送パラメータ（すなわち、繰り返しレベル）をその他の送信設定情報に関連してＵＥに伝えるかは検討中である。さらに、繰り返しレベルをＵＥに送信する際、送信ブロックサイズ（Transport Block Size：ＴＢＳ）のような別の伝送パラメータを再設定する必要もありうる。
【０００５】
したがって、システム性能を最大限引き出すように、この伝送パラメータ（すなわち、繰り返しレベル）を別の送信設定情報に関連して柔軟にＵＥに通知することが望ましい。
【摘要】
【０００６】
この摘要は、以下でさらに詳細に説明される概念の選択肢を簡潔に示すものである。この摘要は、請求されている主題の主要な特徴や不可欠な特徴を特定することを意図するものでも、請求されている主題の範囲を限定することを意図するものでもない。
【０００７】
本開示の一態様によると、無線ネットワークにおける伝送パラメータを決定するための方法が提供される。前記方法は、伝送パラメータを決定するためにネットワーク要素によって使用される送信設定情報を移動端末へと送信することを含む。前記送信設定情報は、第１のパラメータセット、第２のパラメータセット、または第３のパラメータセットを含む。前記第１のパラメータセットは、第１の繰り返しレベルセットインデックス、第１の繰り返しレベルインデックス、第１のリソース割り当て、および第１の送信ブロックサイズインデックスを少なくとも含む。前記第２のパラメータセットは、第２の繰り返しレベルインデックス、第２のリソース割り当て、および第２の送信ブロックサイズインデックスを少なくとも含む。前記第３のパラメータセットは、変調符号化スキームレベルインデックス、第３のリソース割り当て、および第３の送信ブロックサイズインデックスを少なくとも含む。
【０００８】
本開示の別の態様によると、無線ネットワークにおける伝送パラメータを決定するための装置が提供される。前記装置は、伝送パラメータを決定するために前記装置によって使用される送信設定情報を移動端末へと送信するように構成された送信手段を含む。前記送信設定情報は、第１のパラメータセット、第２のパラメータセット、または第３のパラメータセットを含む。前記第１のパラメータセットは、第１の繰り返しレベルセットインデックス、第１の繰り返しレベルインデックス、第１のリソース割り当て、および第１の送信ブロックサイズインデックスを少なくとも含む。前記第２のパラメータセットは、第２の繰り返しレベルインデックス、第２のリソース割り当て、および第２の送信ブロックサイズインデックスを少なくとも含む。前記第３のパラメータセットは、変調符号化スキームレベルインデックス、第３のリソース割り当て、および第３の送信ブロックサイズインデックスを少なくとも含む。
【０００９】
本開示のさらに別の態様によると、無線ネットワークにおける伝送パラメータを決定するための装置が提供される。前記装置は、少なくとも１つのプロセッサと、コンピュータプログラムコードを含む少なくとも１つのメモリと、を含む。前記少なくとも１つのメモリおよび前記コンピュータプログラムコードは、前記少なくとも１つのプロセッサとともに、前記装置に、伝送パラメータを決定するために前記装置によって使用される送信設定情報を移動端末へと送信させるように構成される。前記送信設定情報は、第１のパラメータセット、第２のパラメータセット、または第３のパラメータセットを含む。前記第１のパラメータセットは、第１の繰り返しレベルセットインデックス、第１の繰り返しレベルインデックス、第１のリソース割り当て、および第１の送信ブロックサイズインデックスを少なくとも含む。前記第２のパラメータセットは、第２の繰り返しレベルインデックス、第２のリソース割り当て、および第２の送信ブロックサイズインデックスを少なくとも含む。前記第３のパラメータセットは、変調符号化スキームレベルインデックス、第３のリソース割り当て、および第３の送信ブロックサイズインデックスを少なくとも含む。
【００１０】
本開示のさらに別の態様によると、コンピュータ実行可能なプログラム命令が記憶された少なくとも１つの非一時的コンピュータ可読記憶媒体を含むコンピュータプログラムプロダクトが提供され、前記コンピュータ実行可能な命令は、実行されると、装置に上述のように動作させるように構成される。
【００１１】
本開示のさらに別の態様によると、無線ネットワークにおける伝送パラメータを決定するための方法が提供される。前記方法は、伝送パラメータを決定するためにネットワーク要素によって使用される送信設定情報を受信することと、前記送信設定情報に少なくとも部分的に基づいて前記ネットワーク要素によって使用される伝送パラメータを決定することと、を含む。前記送信設定情報は、第１のパラメータセット、第２のパラメータセット、または第３のパラメータセットを含む。前記第１のパラメータセットは、第１の繰り返しレベルセットインデックス、第１の繰り返しレベルインデックス、第１のリソース割り当て、および第１の送信ブロックサイズインデックスを少なくとも含む。前記第２のパラメータセットは、第２の繰り返しレベルインデックス、第２のリソース割り当て、および第２の送信ブロックサイズインデックスを少なくとも含む。前記第３のパラメータセットは、変調符号化スキームレベルインデックス、第３のリソース割り当て、および第３の送信ブロックサイズインデックスを少なくとも含む。
【００１２】
本開示のさらに別の態様によると、無線ネットワークにおける伝送パラメータを決定するための装置が提供される。前記装置は、伝送パラメータを決定するためにネットワーク要素によって使用される送信設定情報を受信するように構成された受信手段と、前記送信設定情報に少なくとも部分的に基づいて前記ネットワーク要素によって使用される伝送パラメータを決定するように構成された決定手段と、を含む。前記送信設定情報は、第１のパラメータセット、第２のパラメータセット、または第３のパラメータセットを含む。前記第１のパラメータセットは、第１の繰り返しレベルセットインデックス、第１の繰り返しレベルインデックス、第１のリソース割り当て、および第１の送信ブロックサイズインデックスを少なくとも含む。前記第２のパラメータセットは、第２の繰り返しレベルインデックス、第２のリソース割り当て、および第２の送信ブロックサイズインデックスを少なくとも含む。前記第３のパラメータセットは、変調符号化スキームレベルインデックス、第３のリソース割り当て、および第３の送信ブロックサイズインデックスを少なくとも含む。
【００１３】
本開示のさらに別の態様によると、無線ネットワークにおける伝送パラメータを決定するための装置が提供される。前記装置は、少なくとも１つのプロセッサと、コンピュータプログラムコードを含む少なくとも１つのメモリと、を含む。前記少なくとも１つのメモリおよび前記コンピュータプログラムコードは、前記少なくとも１つのプロセッサとともに、前記装置に、伝送パラメータを決定するためにネットワーク要素によって使用される送信設定情報を受信させ、前記送信設定情報に少なくとも部分的に基づいて前記ネットワーク要素によって使用される伝送パラメータを決定させるように構成される。前記送信設定情報は、第１のパラメータセット、第２のパラメータセット、または第３のパラメータセットを含む。前記第１のパラメータセットは、第１の繰り返しレベルセットインデックス、第１の繰り返しレベルインデックス、第１のリソース割り当て、および第１の送信ブロックサイズインデックスを少なくとも含む。前記第２のパラメータセットは、第２の繰り返しレベルインデックス、第２のリソース割り当て、および第２の送信ブロックサイズインデックスを少なくとも含む。前記第３のパラメータセットは、変調符号化スキームレベルインデックス、第３のリソース割り当て、および第３の送信ブロックサイズインデックスを少なくとも含む。
【００１４】
本開示のさらに別の態様によると、コンピュータ実行可能なプログラム命令が記憶された少なくとも１つの非一時的コンピュータ可読記憶媒体を含むコンピュータプログラムプロダクトが提供され、前記コンピュータ実行可能な命令は、実行されると、装置に上述のように動作させるように構成される。
【００１５】
本開示による上記またはその他の目的、特徴、および効果は、添付の図面と合わせて理解される以下の例示的な実施形態の説明から明らかになる。
【図面の簡単な説明】
【００１６】
【図１】図１は、一実施形態に係る無線システムを示す簡略ブロック図である。
【００１７】
【図２】図２は、一実施形態に係る無線ネットワークにおける送信設定情報を送信する処理を示す図である。
【００１８】
【図３】図３は、一実施形態に係る伝送パラメータを決定する処理を示す図である。
【００１９】
【図４】図４は、一実施形態に係る装置を示す簡略ブロック図である。
【００２０】
【図５】図５は、別の実施形態に係る装置を示す簡略ブロック図である。
【発明を実施するための形態】
【００２１】
説明を目的として、開示された実施形態の理解を促すために以下では詳細を規定する。しかし、これらの実施形態が特定の詳細を除いても実施できることや、均等の構成によって実施できることは当業者には自明である。
【００２２】
図１は、一実施形態に係る無線システムを示す。本実施形態および後述の他の実施形態の説明は、主にマシン型通信（Machine Type Communication：ＭＴＣ）用のＬＴＥシステムに即して展開される。ただし、当業者であれば、本開示がこれに限られないことが理解されよう。事実、本開示の各種態様は、本明細書で説明される伝送パラメータの決定により利するあらゆる無線ネットワークにおいて有用である。このようなネットワークとしては、ＣＤＭＡ、ＴＤＭＡ、ＦＤＭＡ、ＯＦＤＭＡ、ＳＣ−ＦＤＭＡ等が挙げられる。用語「ネットワーク」と「システム」は、同義で使用されることも多い。ＣＤＭＡネットワークは、ユニバーサル地上無線アクセス（Universal Terrestrial Radio Access：ＵＴＲＡ）や、ＣＤＭＡ１０００等の無線技術を実現してもよい。ＵＴＲＡは、ＷＣＤＭＡ（登録商標）や、その他ＣＤＭＡの変形を含む。ＣＤＭＡ１０００は、ＩＳ−１０００、ＩＳ−９５、ＩＳ−８５６規格を網羅する。ＣＤＭＡネットワークは、ＧＳＭ（登録商標）のような無線技術を実現してもよい。ＯＦＤＭＡネットワークは、発展型（Evolved）ＵＴＲＡ（Ｅ−ＵＴＲＡ）、ウルトラモバイルブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭＡ、アドホックネットワーク等の無線技術を実現してもよい。
【００２３】
図１に示すように、無線システムはｅＮＢのようなネットワーク要素２００と、ＬＴＥ  ＭＴＣのＵＥのような複数のＵＥ（移動端末）とを有する。ネットワーク要素２００は、移動端末とは異なり、ネットワーク側の機能的要素を指す。例えば、ネットワーク要素２００はｅＮＢを含んでもよい。両方向矢印付きの実線は、移動端末とネットワーク要素との、理想的なダウンリンクおよびアップリンク伝送を示す。無線移動体システムは、セルサイトや基地局として知られる送信局により実現される各無線セルのネットワークを含むことはよく知られている。無線ネットワークは、複数の送受信器（多くの場合、移動体である）に対して無線通信サービスを提供する。ネットワーク要素同士が協働するネットワークにより、単一のネットワーク要素により提供される無線カバレッジよりも広大な無線サービスが実現可能である。各ネットワーク要素は、別のネットワーク（多くの場合、有線ネットワークである（不図示））に接続される。当該別のネットワークは、リソース管理や、場合によっては別のネットワークシステム（インターネット等）またはメトロポリタンエリアネットワーク（Metropolitan Area Network：ＭＡＮ）への接続を担う、さらなるコントローラを有する。
【００２４】
本明細書において、用語「ユーザ機器」と「移動端末」とは同義として扱い、携帯電話、スマートフォン、コンピュータ（デスクトップ、ノートパソコン、その他を含む）、その他モバイル機器または端末（ＬＴＥ  ＭＴＣのＵＥ、ＭＴＣ装置、ハンドヘルドコンピュータ、携帯情報端末（Personal Digital Assistant：ＰＤＡ）、ビデオカメラ、セットトップボックス、パーソナルメディアデバイス等）、またはこれらの任意の組合せを含むが、これらに限定されるものではない。用語「無線」は、あらゆる無線信号、データ、通信、または限定的ではないが４Ｇ（例えば、ＬＴＥ、ＬＴＥ−Ａ）、Ｗｉ−Ｆｉ、Ｂｌｕｅｔｏｏｔｈ（登録商標）、３Ｇ（例えば、３ＧＰＰ、３ＧＰＰ２、ＵＭＴＳ）、ＨＳＤＰＡ／ＨＳＵＰＡ、ＴＤＭＡ、ＣＤＭＡ（例えば、ＩＳ−９５Ａ、ＷＣＤＭＡ（登録商標））、ＦＨＳＳ、ＤＳＳＳ、ＧＳＭ（登録商標）、ＰＡＮ／８０２．１５、ＷｉＭＡＸ（８０２．１６）、８０２．２０、狭帯域／ＦＤＭＡ、ＯＦＤＭ、ＰＣＳ／ＤＣＳ、アナログ携帯通信システム、ＣＤＰＤ、衛星システム、ミリ波またはマイクロ波システム、音響、赤外線（すなわち、ＩｒＤＡ）を含むその他インターフェースを意味する。
【００２５】
３ＧＰＰ（第３世代パートナーシッププロジェクト）は、ＭＴＣ用のさらなるＬＴＥ物理層の改善のためのＲｅｌ．１３（Ｒｅｌｅａｓｅ１３）仕様を新たに策定した。Ｒｅｌ．１３仕様のＭＴＣのＵＥは、いずれのシステム帯域内でも、ダウンリンクとアップリンクのいずれでもＲＦ帯域として１．４ＭＨｚのみ（すなわち、６つのＰＲＢ対のみ）に対応していればよい。Ｒｅｌ．１３  ＭＴＣの研究目的は、例えば建物深くのような不利な位置にＭＴＣ装置が配置されたような場合に、ＦＤＤのカバレッジを１５ｄＢ広げる技術を標準化することである。当該技術としては、例えば物理データチャネルに対する、ハイブリッド自動再送要求（Hybrid Automatic Repeat Request：ＨＡＲＱ）によるサブフレームバンドリング技術、繰り返し付きサブフレーム間スケジューリングによる拡張下り物理制御チャネル（Enhanced Physical Downlink Control Channel：ＰＤＣＣＨ）を使用したリソースの割り当て等が挙げられるが、これらに限定されない。カバレッジ拡大量は、セルごとおよび／またはＵＥごとおよび／またはチャネルごとおよび／またはチャネル群ごとに設定されるべきである。Ｒｅｌ．１３ＭＴＣの研究目的はまた、電池の超長寿命を実現するため、通常カバレッジおよび拡大カバレッジの両方において、電力低減スキームを提供することも含む。
【００２６】
現行のユニキャスト送信用ＬＴＥシステムでは、ｅＮＢはＤＣＩにおいて、予定されたＵＥにＭＣＳインデックスを示す。表１に示すように、参照により本明細書に組み込まれるＬＴＥ  ＴＳ３６．２１３では、合計で３２個のＭＣＳエントリが定義されている。本表から、ＵＥで確認される回線品質に応じて、ＭＣＳインデックスが１つ選択される。表中、１つの列は「ＴＢＳインデックス」の欄であり、特定のリソース割り当てについて割り当てられたＭＣＳインデックスのＴＢＳインデックスを示す。ＬＴＥ  ＴＳ３６．２１３に基づく表２に、各ＭＣＳインデックスおよび各リソース割り当て（６つのＰＲＢ対以下のリソース割り当て）に対するＴＢＳを示す。すなわち、ｅＮＢがスケジューリングＤＣＩにおいてＭＣＳインデックスとリソース割り当てを割り当てると、それに応じてＴＢＳが決定される。ｅＮＢはスケジューリングＤＣＩにおいてＴＢＳを示す必要はない。
［表１］
2020039170.tif 000003
［表２］
2020039170.tif 000004
【００２７】
上述のように、カバレッジ拡張（ＣＥ）モードのＬＴＥ  ＭＴＣのＵＥに対して、ｅＮＢは、ＰＤＳＣＨ送信の際、１つ以上（最大６つ）のＰＲＢ対を、ＰＤＳＣＨ送信の最初のサブフレームにおける特定の１．４ＭＨｚ領域に割り当て、以降の多数のサブフレームにおいてＰＤＳＣＨを繰り返す。ｅＮＢはまた、ＵＥに対して繰り返しレベルを割り当てる。これにより、ＵＥはＰＤＳＣＨ送信における繰り返し数を把握できる。現行の規格では、ｅＮＢは予定されたＵＥにＴＢＳを通知する必要はない。ＴＢＳは割り当てられたＭＣＳインデックスと割り当てられた物理リソースにより、明確に決まる。ただし、ＣＥモードのＵＥでは、データ送信について時間領域で繰り返しが生じうるため、各繰り返しサブフレームにおける割り当てられたリソースと、総繰り返し数とによって、総リソース量が決まる。そのため、ＴＢＳを従来の手法にて決定するのは適切ではない。さらに、いかに移動端末に対して伝送パラメータ（すなわち、繰り返しレベル）をその他の送信設定情報と関連して通知するかは、現在ＲＡＮ１により検討中である。
【００２８】
上述の問題を解決するため、本出願は３つの手法１から３を提供する。以下に、説明および例示のため、手法１および手法２を新規のＴＢＳ表および繰り返し数表により説明する。さらに、手法３を繰り返し数表により説明する。ただし、これらの表はその他の適切なデータ形式および／またはデータ構造および／またはデータセットで表すことができる。したがって、本出願はこの表現に限定されない。
【００２９】
手法１、手法２、手法３では、繰り返しレベルセットインデックスおよび繰り返しレベルインデックスで定義できる繰り返し数表を使用する。この表において、繰り返しレベルセットインデックスおよび繰り返しレベルインデックスが多数存在してもよい。繰り返しレベルインデックスは、１、２、３、またはその他適切な繰り返しレベルを示してもよい。繰り返しレベルセットインデックスは、各繰り返しレベルに対応する繰り返し数組を示す。すなわち、この表は繰り返し数をより柔軟に定義可能な二次元要素により定義されてもよい。表３に繰り返し数表の一例を示す。
［表３］
2020039170.tif 000005
表中、
2020039170.tif 000006
は繰り返しレベルセットインデックスを示す。
2020039170.tif 000007
は繰り返しレベルインデックスを示す。Ｒｘｚは
2020039170.tif 000008
および
2020039170.tif 000009
に対する繰り返し数を示す。一例として、｛Ｒ０１，Ｒ０２，Ｒ０３｝のセットは
2020039170.tif 000010
に対する繰り返し数に対応し、｛Ｒ１１，Ｒ１２，Ｒ１３｝のセットは
2020039170.tif 000011
に対する繰り返し数に対応し、｛Ｒ２１，Ｒ２２，Ｒ２３｝のセットは
2020039170.tif 000012
に対する繰り返し数に対応し、｛Ｒ３１，Ｒ３２，Ｒ３３｝のセットは
2020039170.tif 000013
に対する繰り返し数に対応する。
【００３０】
例えば一実施形態に係る手法１では、ｅＮＢ対して繰り返しレベルセットインデックスおよび繰り返しレベルインデックスを設定し、ＵＥに対してシグナリングしてもよい。これは放送信号あるいはＵＥ指定ＲＲＣシグナリングまたは物理層シグナリングにより実現されてもよい。繰り返しレベルセットインデックスおよび繰り返しレベルインデックスを取得すると、ＵＥは表３に従って、ＰＤＳＣＨのような送信の繰り返し数を把握できる。
【００３１】
例えば、ｅＮＢが繰り返しレベルセットインデックス２および繰り返しレベルインデックス３を設定し、ＵＥにシグナリングしたとする。すると、ＵＥは表３から、繰り返し数がＲ２３であると認識できる。実際には、どのＴＢＳインデックスを設定するかは、例えばＵＥのトラフィック種別のような実装に応じて決定されてもよい。
【００３２】
手法１ではさらに、繰り返しレベルセットインデックス、リソース割り当て、および送信ブロックサイズインデックスにより定義される新規のＴＢＳ表が使用される。新規のＴＢＳ表は、ｅＮＢがＵＥに繰り返しレベルセットインデックス、リソース割り当て、および送信ブロックサイズインデックスを通知した際に、ＵＥがデータ送信用のＴＢＳを取得するために使用されてもよい。
【００３３】
手法１における新規のＴＢＳ表の一例を、以下の表４に示す。
[表４]
2020039170.tif 000014
表中、
2020039170.tif 000015
は繰り返しレベルセットインデックスを示し、
2020039170.tif 000016
は新規のＴＢＳ表のＴＢＳインデックスを示し、
2020039170.tif 000017
は可能なリソース割り当てを示し、
2020039170.tif 000018
は
2020039170.tif 000019
に対するＴＢＳを示し、１つの繰り返しレベルセットインデックスが２つ以上の送信ブロックサイズインデックスに対応してもよい。例えば、
2020039170.tif 000020
は、送信ブロックサイズインデックス０から７のセットに対応する。
【００３４】
なお、表４の送信ブロックサイズインデックスは繰り返されてもよい。その場合、繰り返しレベルセットインデックス、リソース割り当て、および送信ブロックサイズインデックスに少なくとも部分的に基づいて送信ブロックサイズが決定されてもよい。
【００３５】
一実施形態によると、ｅＮＢがＵＥに繰り返しレベルセットインデックス、リソース割り当て、および送信ブロックサイズインデックスを通知すると、ＵＥは表４に示すような繰り返しレベルセットインデックス、リソース割り当て、および送信ブロックサイズインデックスに基づいて送信ブロックサイズを決定する。例えば、
2020039170.tif 000021
は
2020039170.tif 000022
により決まる。
【００３６】
手法１では、所与のリソース割り当てに対し、所与の繰り返しレベルセットインデックスのＴＢＳが昇順であってもよいが、別の実施形態では降順のようなその他任意の適切な順序であってもよい。
【００３７】
以下に一実施形態に係る手法１の具体例を挙げる。以下の表５は、
2020039170.tif 000023
に対するＴＢＳ用下位表である。
[表５]
2020039170.tif 000024
【００３８】
以下の表６は、
2020039170.tif 000025
に対するＴＢＳ下位表である。
[表６]
2020039170.tif 000026
【００３９】
以下の表７は、
2020039170.tif 000027
に対するＴＢＳ下位表である。
[表７]
2020039170.tif 000028
【００４０】
なお本実施形態において、上述のような各ＴＢＳ補助表において、ある特定のリソース割り当てが、低めのＴＢＳと高めのＴＢＳで繰り返しレベルが同じであってとしても、リソースが大幅に無駄になることはない。低めのＴＢＳのほうが、高めのＴＢＳよりも符号化ゲインが低いためである。
【００４１】
別の実施形態では、送信ブロックサイズインデックスが繰り返されない。これが手法２である。手法２でも、繰り返しレベルセットインデックス、リソース割り当て、および送信ブロックサイズインデックスで定義される新規のＴＢＳ表を使用する。手法２のＴＢＳ表は手法１のものと同様であるが、手法２のＴＢＳ表では送信ブロックサイズインデックスが繰り返されない点が異なる。
【００４２】
このＴＢＳ表は、ｅＮＢがＵＥにリソース割り当ておよび送信ブロックサイズインデックスを通知した際に、ＵＥがデータ送信用のＴＢＳを取得するために使用されてもよい。別の見方をすれば、以下により詳細に説明するように、ＵＥが繰り返しレベルセットインデックスを推測するために使用されてもよい。
【００４３】
表８に、手法２における新規のＴＢＳ表の一例を示す。
[表８]
2020039170.tif 000029
表中、
2020039170.tif 000030
は手法１の表４と同様である。手法１の表４と同様に、１つの繰り返しレベルセットインデックスが２つ以上の送信ブロックサイズインデックスに対応してもよいが、手法２では、繰り返しレベルセットインデックスはそれぞれ、互いに重複しない送信ブロックサイズインデックスのそれぞれのセットに対応する。例えば、手法１の表４では、すべての
2020039170.tif 000031
は、｛０，１，２，３，４，５，６，７｝のような同じ送信ブロックサイズインデックスセットに対応してもよい。一方、手法２の表８では、
2020039170.tif 000032
が｛０，１，２，３，４，５，６，７｝のような送信ブロックサイズインデックスセットに対応し、
2020039170.tif 000033
が｛８，９，１０，１１，１２，１３，１４，１５｝のような送信ブロックサイズインデックスセットに対応し、これらのセットが互いに重複しなくてもよい。これにより、以下により詳細に説明するように、第２の送信ブロックサイズインデックスセットにより、繰り返しレベルセットインデックスを推測できる。
【００４４】
一実施形態によると、繰り返しレベルセットインデックスは各送信ブロックサイズインデックスセットと送信ブロックサイズインデックスとに少なくとも部分的に基づいて決定される。例えば表８の例では、ｅＮＢが
2020039170.tif 000034
のような送信ブロックサイズインデックスをＵＥに通知すると、
2020039170.tif 000035
は
2020039170.tif 000036
に対応する｛０，１，２，３，４，５，６，７｝のセットに含まれることから、ＵＥは表８に従って
2020039170.tif 000037
のような繰り返しレベルセットインデックスを取得する。この実施形態において、ｅＮＢがさらに繰り返しレベルインデックスをＵＥに通知すると、ＵＥは例えば表３に従って、繰り返しレベルセットインデックスおよび繰り返しレベルインデックスに少なくとも部分的に基づいて繰り返し数を決定できる。
【００４５】
一実施形態では、ｅＮＢはリソース割り当ておよび送信ブロックサイズインデックスをＵＥに通知し、例えば表８に従ってＵＥがリソース割り当ておよび送信ブロックサイズインデックスに少なくとも部分的に基づいて送信ブロックサイズを決定してもよい。一例として、ｅＮＢが
2020039170.tif 000038
のようなリソース割り当てと、
2020039170.tif 000039
のような送信ブロックサイズインデックスをＵＥに通知したとする。その場合、ＵＥは例えば表８を参照してＴ６６０のような送信ブロックサイズを決定してもよい。
【００４６】
手法２では、所与のリソース割り当てについて、繰り返しレベルセットインデックスのＴＢＳが昇順であってもよく、別の実施形態ではその他適切な順序であってもよい。
【００４７】
次に手法３を説明する。上述の手法１や手法２と同様に、手法３でも繰り返し数を決定するために表３が使用されてもよい。
【００４８】
加えて、手法３では、それぞれインデックスが各繰り返しレベルセットインデックスに対応しうる多数のＭＣＳレベルを使用してもよい。さらに、ＭＣＳレベルインデックスは、符号レートや、ＱＰＳＫのような変調オーダー等のその他情報を示してもよい。
【００４９】
一実施形態では、少なくとも部分的に変調符号化スキームレベルインデックスに基づいて繰り返しレベルセットインデックスが決定される。例えば、ｅＮＢがＵＥに変調符号化スキームレベルインデックスを送信すると、ＵＥは変調符号化スキームレベルインデックスと繰り返しレベルセットインデックスとの間のマッピングに基づいて繰り返しレベルセットインデックスを決定してもよい。さらに、ＭＣＳレベルインデックスの繰り返しレベルセットインデックスに対するマッピングは事前に決められていてもよい。
【００５０】
さらに、手法３では、複数のＴＢＳを含むＴＢＳ表を定義してもよい。ＴＢＳ表はリソース割り当ておよび送信ブロックサイズインデックスにより定義されてもよい。例えば、手法３で使用されるＴＢＳ表の一例を表９に示す。
[表９]
2020039170.tif 000040
表中、
2020039170.tif 000041
は送信ブロックサイズインデックスを示し、
2020039170.tif 000042
はリソース割り当てを示し、Kxyは
2020039170.tif 000043
に対するＴＢＳである。
【００５１】
一実施形態では、送信ブロックサイズは、第３のリソース割り当ておよび送信ブロックサイズインデックスに少なくとも部分的に基づいて決定される。例えば、ｅＮＢがリソース割り当ておよび第３の送信ブロックサイズインデックスをＵＥに送信すると、ＵＥは例えば、リソース割り当ておよび送信ブロックサイズインデックスにより表９を参照して、送信ブロックサイズを決定できる。
【００５２】
一実施形態では、表３に示すような繰り返しレベルインデックスはそれぞれ、互いに重複しない送信ブロックサイズ範囲のそれぞれに対応する。例えば、３つの繰り返しレベルインデックスがあるとする。その場合、繰り返しレベルインデックス１は最小ＴＢＳ＝１６から最大ＴＢＳ３２８の範囲の値に対応し、繰り返しレベルインデックス２は最小ＴＢＳ＝３２９から最大ＴＢＳ６００の範囲の値に対応し、繰り返しレベルインデックス３は最小ＴＢＳ＝６０１から最大ＴＢＳ１０３２の範囲の値に対応してもよい。この場合、繰り返しレベルインデックス１から３のそれぞれの送信ブロックサイズ範囲は互いに重複していない。
【００５３】
一実施形態によると、送信ブロックサイズおよび各送信ブロックサイズ範囲に少なくとも部分的に基づいて、繰り返しレベルインデックスが決定される。上述のように、繰り返しレベルインデックスはそれぞれ、互いに重複しないＴＢＳ範囲のそれぞれに対応してもよい。そのため、ＴＢＳを取得したＵＥは、当該ＴＢＳを各ＴＢＳ範囲に照らし合わせて、当該ＴＢＳが含まれるＴＢＳ範囲を特定できる。この情報を取得後、特定されたＴＢＳ範囲に対応する繰り返しレベルインデックスを決定できる。
【００５４】
一実施形態によると、手法３において、繰り返し数は、繰り返しレベルセットインデックスおよび繰り返しレベルインデックスに少なくとも部分的に基づいて決定されてもよい。例えば、ＵＥは繰り返しレベルセットインデックスおよび繰り返しレベルインデックスを取得すると、繰り返しレベルセットインデックスおよび繰り返しレベルインデックスに少なくとも部分的に基づいて、例えば表３を参照して繰り返し数を決定できる。
【００５５】
各種実施形態によると、上述の値および／または値範囲および／または変調符号化スキームレベルインデックス、リソース割り当て、送信ブロックサイズ表インデックス、繰り返しレベルセットインデックス、繰り返しレベルインデックス等の各種パラメータの数は、あくまで例示である。したがって、別の実施形態では、それぞれその他の適切な値および／または値範囲および／または数量を利用してもよい。すなわち、本開示は上述のものに限定されないのである。
【００５６】
図２は、一実施形態に係る、伝送パラメータを決定するためにネットワーク要素によって使用される送信設定情報を移動端末へと送信する処理を示す図である。本処理は、ネットワーク要素２００またはその他の実体にて実現できる。伝送パラメータは、ＴＢＳおよび／または移動端末によるＰＤＳＣＨ等の送信の繰り返し数を少なくとも含んでもよい。
【００５７】
図２に示すように、本処理はステップ２０２を含む。本ステップでは、ネットワーク要素２００は伝送パラメータを決定するため、移動端末（例えば、ＵＥ１００）に対して、ネットワーク要素によって使用される送信設定情報を送信してもよい。前記送信設定情報は、第１のパラメータセット、第２のパラメータセット、または第３のパラメータセットを含む。第１のパラメータセットは、第１の繰り返しレベルセットインデックス、第１の繰り返しレベルインデックス、第１のリソース割り当て、および第１の送信ブロックサイズインデックスを少なくとも含む。第２のパラメータセットは、第２の繰り返しレベルインデックス、第２のリソース割り当て、および第２の送信ブロックサイズインデックスを少なくとも含む。第３のパラメータセットは、変調符号化スキームレベルインデックス、第３のリソース割り当て、および第３の送信ブロックサイズインデックスを少なくとも含む。
【００５８】
ステップ２０２において、送信設定情報はこれら３つのパラメータセットの内の１つを含んでもよい。
【００５９】
一実施形態では、表３を参照して説明した実施形態のように、送信設定情報は第１のパラメータセットを含み、伝送パラメータは繰り返し数を少なくとも含み、前記繰り返し数は、第１の繰り返しレベルセットインデックスおよび第１の繰り返しレベルインデックスに少なくとも部分的に基づいて決定されてもよい。
【００６０】
一実施形態では、表４を参照して説明した実施形態のように、送信設定情報は第１のパラメータセットを含み、１つの第１の繰り返しレベルセットインデックスは２つ以上の第１の送信ブロックサイズインデックスに対応してもよい。
【００６１】
一実施形態では、表４を参照して説明した実施形態のように、送信設定情報は第１のパラメータセットを含み、伝送パラメータは送信ブロックサイズを少なくとも含み、前記送信ブロックサイズは第１の繰り返しレベルセットインデックス、第１のリソース割り当て、第１の送信ブロックサイズインデックスに少なくとも部分的に基づいて決定されてもよい。
【００６２】
一実施形態では、送信設定情報は第１のパラメータセットを含み、第１の繰り返しレベルセットインデックスおよび第１の繰り返しレベルインデックスの送信頻度は、第１のリソース割り当ておよび第１の送信ブロックサイズインデックスの送信頻度以下である。例えば、ネットワーク要素２００はいくつかの連続したパケットについて同じ連続回数とし、各パケットについてそれぞれ異なるＴＢＳを使用してもよい。すなわち、パケット１に対してＴＢＳ＝１６、パケット２に対してＴＢＳ＝３２、以下同じような形である。ネットワーク要素２００は第１の繰り返しレベルセットインデックスおよび第１の繰り返しレベルインデックスをいくつかの連続したパケットに対して送信し、各第１のリソース割り当ておよび各第１の送信ブロックサイズインデックスをいくつかの連続したパケットのそれぞれに対して送信してもよい。
【００６３】
一実施形態では、表８を参照して説明した実施形態のように、送信設定情報は第２のパラメータセットを含み、伝送パラメータは第２の送信ブロックサイズを少なくとも含み、前記第２の送信ブロックサイズは、第２のリソース割り当ておよび第２の送信ブロックサイズインデックスに少なくとも部分的に基づいて決定されてもよい。
【００６４】
一実施形態では、表８を参照して説明した実施形態のように、送信設定情報は第２のパラメータセットを含み、第２の繰り返しレベルセットインデックスはそれぞれ、互いに重複しない第２の送信ブロックサイズインデックスのそれぞれのセットに対応する。
【００６５】
一実施形態では、表８を参照して説明した実施形態のように、送信設定情報は第２のパラメータセットを含み、第２の繰り返しレベルセットインデックスは、第２の送信ブロックサイズインデックのそれぞれのセットに少なくとも部分的に基づいて決定される。
【００６６】
一実施形態では、表３を参照して説明した実施形態のように、送信設定情報は第２のパラメータセットを含み、伝送パラメータは繰り返し数を少なくとも含み、前記繰り返し数は、第２の繰り返しレベルセットインデックスおよび第２の繰り返しレベルインデックスに少なくとも部分的に基づいて決定される。
【００６７】
一実施形態では、上述の実施形態のように、送信設定情報は第３のパラメータセットを含み、第３の繰り返しレベルセットインデックスが変調符号化スキームレベルインデックスに少なくとも部分的に基づいて決定される。
【００６８】
一実施形態では、表９を参照して説明した実施形態のように、送信設定情報は第３のパラメータセットを含み、伝送パラメータは第３の送信ブロックサイズを少なくとも含み、前記第３の送信ブロックサイズは、第３のリソース割り当ておよび第３の送信ブロックサイズインデックスに少なくとも部分的に基づいて決定されてもよい。
【００６９】
一実施形態では、上述の実施形態のように、送信設定情報は第３のパラメータセットを含み、繰り返しレベルインデックスはそれぞれ、互いに重複しない送信ブロックサイズ範囲のそれぞれに対応する。
【００７０】
一実施形態では、上述の実施形態のように、送信設定情報は第３のパラメータセットを含み、第３の繰り返しレベルインデックスが第３の送信ブロックサイズおよび各送信ブロックサイズ範囲に少なくとも部分的に基づいて決定される。
【００７１】
一実施形態では、表３を参照して説明した実施形態のように、送信設定情報は第３のパラメータセットを含み、伝送パラメータは繰り返し数を少なくとも含み、前記繰り返し数は、第３の繰り返しレベルセットインデックスおよび第３の繰り返しレベルインデックスに少なくとも部分的に基づいて決定される。
【００７２】
各種実施形態によると、大きめの送信ブロックサイズは大きいパケットの送信用で、小さめの送信ブロックサイズは小さいパケットの送信用である。例えば、ｅＮＢが２０６４ビットの情報をＵＥに送信する場合、ｅＮＢはＴＢＳ＝１０３２を選択してもよい。大きめのＴＢＳは、大きいパケットの送信に有利である。少ないスケジューリング数でパケットが完全に送信できるためである。これはより低い制御オーバヘッド、短いパケット送信時間、それに伴う低消費電力につながる。別の例として、ｅＮＢが３２ビットの情報をＵＥに送信する場合、ｅＮＢはＴＢＳ＝３２を選択してもよい。小さめのＴＢＳは、小さいパケットの送信に有利である。パケット送信用にパディングビットを追加する必要がなく、これにより繰り返し数が減り、さらに低電力となるためである。既存の手法と比して、本出願ではＴＢＳの選択幅が広い。したがって、ネットワーク要素により柔軟性をもたらすことができる。すなわち、ネットワーク要素はシステムおよび／またはネットワーク性能を最大限に引き出すように、より適切なＴＢＳを設定できる。
【００７３】
各種実施形態によると、ネットワーク要素は、放送信号、ユーザ機器指定無線リソース制御シグナリング、および物理層シグナリングの内の少なくとも１つによって送信設定情報を送信できる。例えば、ネットワーク要素はＤＣＩに含めて送信設定情報を送信できる。
【００７４】
図３は、一実施形態に係る、伝送パラメータを決定するためにネットワーク要素によって使用される送信設定情報を受信する処理を示す。本処理は、移動端末１００またはその他の実体にて実現できる。伝送パラメータは、ＴＢＳおよび／または移動端末によるＰＤＳＣＨ等の送信の繰り返し数を少なくとも含んでもよい。
【００７５】
図３に示すように、本処理はステップ３０２を含む。本ステップでは、移動端末１００が、伝送パラメータを決定するためにネットワーク要素によって使用される送信設定情報を受信する。前記送信設定情報は、第１のパラメータセット、第２のパラメータセット、または第３のパラメータセットを含む。第１のパラメータセットは、第１の繰り返しレベルセットインデックス、第１の繰り返しレベルインデックス、第１のリソース割り当て、および第１の送信ブロックサイズインデックスを少なくとも含む。第２のパラメータセットは、第２の繰り返しレベルインデックス、第２のリソース割り当て、および第２の送信ブロックサイズインデックスを少なくとも含む。第３のパラメータセットは、変調符号化スキームレベルインデックス、第３のリソース割り当て、および第３の送信ブロックサイズインデックスを少なくとも含む。ステップ３０２において、送信設定情報はこれら３つのパラメータセットの内の１つを含む。
【００７６】
処理はさらにステップ３０４を含む。本ステップにおいて、移動端末（例えば、ＵＥ１００）は、送信設定情報に少なくとも部分的に基づいて、ネットワーク要素により使用される伝送パラメータを決定する。
【００７７】
一実施形態では、表３を参照して説明した実施形態のように、送信設定情報は第１のパラメータセットを含み、伝送パラメータは繰り返し数を少なくとも含み、移動端末（例えば、ＵＥ１００）は、第１の繰り返しレベルセットインデックスおよび第１の繰り返しレベルインデックスに少なくとも部分的に基づいて送信の繰り返し数を決定してもよい。
【００７８】
一実施形態では、表４を参照して説明した実施形態のように、送信設定情報は第１のパラメータセットを含み、１つの第１の繰り返しレベルセットインデックスは２つ以上の第１の送信ブロックサイズインデックスに対応してもよい。
【００７９】
一実施形態では、表４を参照して説明した実施形態のように、送信設定情報は第１のパラメータセットを含み、伝送パラメータは送信ブロックサイズを少なくとも含み、移動端末（例えば、ＵＥ１００）は、第１の繰り返しレベルセットインデックス、第１のリソース割り当て、第１の送信ブロックサイズインデックスに少なくとも部分的に基づいて送信ブロックサイズを決定してもよい。
【００８０】
一実施形態では、送信設定情報は第１のパラメータセットを含み、第１の繰り返しレベルセットインデックスおよび第１の繰り返しレベルインデックスの送信頻度は、第１のリソース割り当ておよび第１の送信ブロックサイズインデックスの送信頻度以下である。例えば、ネットワーク要素２００はいくつかの連続したパケットについて同じ連続回数とし、各パケットについてそれぞれ異なるＴＢＳを使用してもよい。すなわち、パケット１に対してＴＢＳ＝１６、パケット２に対してＴＢＳ＝３２、以下同じような形である。続いて、ネットワーク要素２００は、第１の繰り返しレベルセットインデックスおよび第１の繰り返しレベルインデックスをいくつかの連続したパケットに対して送信し、各第１のリソース割り当ておよび各第１の送信ブロックサイズインデックスをいくつかの連続したパケットのそれぞれに対して送信してもよい。ここで、第１の繰り返しレベルセットインデックスおよび第１の繰り返しレベルインデックスの受信頻度は、第１のリソース割り当ておよび第１の送信ブロックサイズインデックスの受信頻度以下である。
【００８１】
一実施形態では、表８を参照して説明した実施形態のように、送信設定情報は第２のパラメータセットを含み、伝送パラメータは第２の送信ブロックサイズを少なくとも含み、前記第２の送信ブロックサイズは、第２のリソース割り当ておよび第２の送信ブロックサイズインデックスに少なくとも部分的に基づいて決定されてもよい。
【００８２】
一実施形態では、表８を参照して説明した実施形態のように、送信設定情報は第２のパラメータセットを含み、第２の繰り返しレベルセットインデックスはそれぞれ、互いに重複しない第２の送信ブロックサイズインデックスのそれぞれのセットに対応する。
【００８３】
一実施形態では、表８を参照して説明した実施形態のように、送信設定情報は第２のパラメータセットを含み、第２の繰り返しレベルセットインデックスは、第２の送信ブロックサイズインデックのそれぞれのセットに少なくとも部分的に基づいて決定される。
【００８４】
一実施形態では、表３を参照して説明した実施形態のように、送信設定情報は第２のパラメータセットを含み、伝送パラメータは繰り返し数を少なくとも含み、前記繰り返し数は、第２の繰り返しレベルセットインデックスおよび第２の繰り返しレベルインデックスに少なくとも部分的に基づいて決定される。
【００８５】
一実施形態では、上述の実施形態のように、送信設定情報は第３のパラメータセットを含み、第３の繰り返しレベルセットインデックスが変調符号化スキームレベルインデックスに少なくとも部分的に基づいて決定される。
【００８６】
一実施形態では、表９を参照して説明した実施形態のように、送信設定情報は第３のパラメータセットを含み、伝送パラメータは第３の送信ブロックサイズを少なくとも含み、前記第３の送信ブロックサイズは、第３のリソース割り当ておよび第３の送信ブロックサイズインデックスに少なくとも部分的に基づいて決定されてもよい。
【００８７】
一実施形態では、上述の実施形態のように、送信設定情報は第３のパラメータセットを含み、繰り返しレベルインデックスはそれぞれ、互いに重複しない送信ブロックサイズ範囲のそれぞれに対応する。
【００８８】
一実施形態では、上述の実施形態のように、送信設定情報は第３のパラメータセットを含み、第３の繰り返しレベルインデックスが第３の送信ブロックサイズおよび各送信ブロックサイズ範囲に少なくとも部分的に基づいて決定される。
【００８９】
一実施形態では、表３を参照して説明した実施形態のように、送信設定情報は第３のパラメータセットを含み、伝送パラメータは繰り返し数を少なくとも含み、前記繰り返し数は、第３の繰り返しレベルセットインデックスおよび第３の繰り返しレベルインデックスに少なくとも部分的に基づいて決定される。
【００９０】
各種実施形態によると、上述の実施形態のように、大きめの送信ブロックサイズは大きいパケットの送信用で、小さめの送信ブロックサイズは小さいパケットの送信用である。
【００９１】
各種実施形態によると、移動端末は、放送信号、ユーザ機器指定無線リソース制御シグナリング、および物理層シグナリングの内の少なくとも１つによって送信設定情報を受信できる。例えば、移動端末はＤＣＩに含まれた送信設定情報を受信できる。
【００９２】
本開示の一態様では、ネットワーク要素等の装置が提供される。図４は、上述の方法を実施する際に有用なネットワーク要素２００を示す。図４に示すように、ネットワーク要素２００は、プロセッサデバイス４０４と、メモリ４０５と、プロセッサ４０４と通信状態にある無線モデムサブシステム４０１とを含む。無線モデムサブシステム４０１は、少なくとも１つの送信部４０２と、少なくとも１つの受信部４０３とを含む。図４ではプロセッサは１つのみ示されているが、プロセッサデバイス４０４は、複数のプロセッサを含んでも、マルチコアプロセッサを含んでもよい。さらに、プロセッサデバイス４０４は、処理動作を促進するためのキャッシュを含んでもよい。
【００９３】
コンピュータ実行可能な命令は、メモリ４０５にロード可能であり、プロセッサデバイス４０４によって実行されると、ネットワーク要素２００に無線ネットワークにおいて上述の方法を実施させる。特に、コンピュータ実行可能な命令は、ネットワーク要素２００に、伝送パラメータを決定するためにネットワーク要素によって使用される送信設定情報を移動端末へと送信させる。前記送信設定情報は、第１のパラメータセット、第２のパラメータセット、または第３のパラメータセットを含む。第１のパラメータセットは、第１の繰り返しレベルセットインデックス、第１の繰り返しレベルインデックス、第１のリソース割り当て、および第１の送信ブロックサイズインデックスを少なくとも含む。第２のパラメータセットは、第２の繰り返しレベルインデックス、第２のリソース割り当て、および第２の送信ブロックサイズインデックスを少なくとも含む。第３のパラメータセットは、変調符号化スキームレベルインデックス、第３のリソース割り当て、および第３の送信ブロックサイズインデックスを少なくとも含む。
【００９４】
一実施形態では、表３を参照して説明した実施形態のように、送信設定情報は第１のパラメータセットを含み、伝送パラメータは繰り返し数を少なくとも含み、前記繰り返し数は、第１の繰り返しレベルセットインデックスおよび第１の繰り返しレベルインデックスに少なくとも部分的に基づいて決定されてもよい。
【００９５】
一実施形態では、表４を参照して説明した実施形態のように、送信設定情報は第１のパラメータセットを含み、１つの第１の繰り返しレベルセットインデックスは２つ以上の第１の送信ブロックサイズインデックスに対応してもよい。
【００９６】
一実施形態では、表４を参照して説明した実施形態のように、送信設定情報は第１のパラメータセットを含み、伝送パラメータは送信ブロックサイズを少なくとも含み、前記送信ブロックサイズは第１の繰り返しレベルセットインデックス、第１のリソース割り当て、第１の送信ブロックサイズインデックスに少なくとも部分的に基づいて決定されてもよい。
【００９７】
一実施形態では、上述の実施形態のように、送信設定情報は第１のパラメータセットを含み、第１の繰り返しレベルセットインデックスおよび第１の繰り返しレベルインデックスの送信頻度は、第１のリソース割り当ておよび第１の送信ブロックサイズインデックスの送信頻度以下である。
【００９８】
一実施形態では、表８を参照して説明した実施形態のように、送信設定情報は第２のパラメータセットを含み、伝送パラメータは第２の送信ブロックサイズを少なくとも含み、前記第２の送信ブロックサイズは、第２のリソース割り当ておよび第２の送信ブロックサイズインデックスに少なくとも部分的に基づいて決定されてもよい。
【００９９】
一実施形態では、表８を参照して説明した実施形態のように、送信設定情報は第２のパラメータセットを含み、第２の繰り返しレベルセットインデックスはそれぞれ、互いに重複しない第２の送信ブロックサイズインデックスのそれぞれのセットに対応する。
【０１００】
一実施形態では、表８を参照して説明した実施形態のように、送信設定情報は第２のパラメータセットを含み、第２の繰り返しレベルセットインデックスは、第２の送信ブロックサイズインデックのそれぞれのセットに少なくとも部分的に基づいて決定される。
【０１０１】
一実施形態では、表３を参照して説明した実施形態のように、送信設定情報は第２のパラメータセットを含み、伝送パラメータは繰り返し数を少なくとも含み、前記繰り返し数は、第２の繰り返しレベルセットインデックスおよび第２の繰り返しレベルインデックスに少なくとも部分的に基づいて決定される。
【０１０２】
一実施形態では、上述の実施形態のように、送信設定情報は第３のパラメータセットを含み、第３の繰り返しレベルセットインデックスが変調符号化スキームレベルインデックスに少なくとも部分的に基づいて決定される。
【０１０３】
一実施形態では、表９を参照して説明した実施形態のように、送信設定情報は第３のパラメータセットを含み、伝送パラメータは第３の送信ブロックサイズを少なくとも含み、前記第３の送信ブロックサイズは、第３のリソース割り当ておよび第３の送信ブロックサイズインデックスに少なくとも部分的に基づいて決定されてもよい。
【０１０４】
一実施形態では、上述の実施形態のように、送信設定情報は第３のパラメータセットを含み、繰り返しレベルインデックスはそれぞれ、互いに重複しない送信ブロックサイズのそれぞれに対応する。
【０１０５】
一実施形態では、上述の実施形態のように、送信設定情報は第３のパラメータセットを含み、第３の繰り返しレベルインデックスが第３の送信ブロックサイズおよび各送信ブロックサイズ範囲に少なくとも部分的に基づいて決定される。
【０１０６】
一実施形態では、表３を参照して説明した実施形態のように、送信設定情報は第３のパラメータセットを含み、伝送パラメータは繰り返し数を少なくとも含み、前記繰り返し数は、第３の繰り返しレベルセットインデックスおよび第３の繰り返しレベルインデックスに少なくとも部分的に基づいて決定される。
【０１０７】
各種実施形態では、大きめの送信ブロックサイズは大きいパケットの送信用で、小さめの送信ブロックサイズは小さいパケットの送信用である。
【０１０８】
各種実施形態では、コンピュータ実行可能な命令は、プロセッサデバイス４０４によって実行されると、ネットワーク要素に、放送信号、ユーザ機器指定無線リソース制御シグナリング、および物理層シグナリングの内の少なくとも１つによって送信設定情報を送信させることができる。
【０１０９】
本開示の一態様では、ネットワーク要素等の装置が提供される。このネットワーク要素は、伝送パラメータを決定するためにネットワーク要素によって使用される送信設定情報を移動端末へと送信するように構成された送信手段を含む。前記送信設定情報は、第１のパラメータセット、第２のパラメータセット、または第３のパラメータセットを含む。第１のパラメータセットは、第１の繰り返しレベルセットインデックス、第１の繰り返しレベルインデックス、第１のリソース割り当て、および第１の送信ブロックサイズインデックスを少なくとも含む。第２のパラメータセットは、第２の繰り返しレベルインデックス、第２のリソース割り当て、および第２の送信ブロックサイズインデックスを少なくとも含む。第３のパラメータセットは、変調符号化スキームレベルインデックス、第３のリソース割り当て、および第３の送信ブロックサイズインデックスを少なくとも含む。
【０１１０】
一実施形態では、表３を参照して説明した実施形態のように、送信設定情報は第１のパラメータセットを含み、伝送パラメータは繰り返し数を少なくとも含み、前記繰り返し数は、第１の繰り返しレベルセットインデックスおよび第１の繰り返しレベルインデックスに少なくとも部分的に基づいて決定されてもよい。
【０１１１】
一実施形態では、表４を参照して説明した実施形態のように、送信設定情報は第１のパラメータセットを含み、１つの第１の繰り返しレベルセットインデックスは２つ以上の第１の送信ブロックサイズインデックスに対応してもよい。
【０１１２】
一実施形態では、表４を参照して説明した実施形態のように、送信設定情報は第１のパラメータセットを含み、伝送パラメータは送信ブロックサイズを少なくとも含み、前記送信ブロックサイズは第１の繰り返しレベルセットインデックス、第１のリソース割り当て、第１の送信ブロックサイズインデックスに少なくとも部分的に基づいて決定されてもよい。
【０１１３】
一実施形態では、上述の実施形態のように、送信設定情報は第１のパラメータセットを含み、第１の繰り返しレベルセットインデックスおよび第１の繰り返しレベルインデックスの送信頻度は、第１のリソース割り当ておよび第１の送信ブロックサイズインデックスの送信頻度以下である。
【０１１４】
一実施形態では、表８を参照して説明した実施形態のように、送信設定情報は第２のパラメータセットを含み、伝送パラメータは第２の送信ブロックサイズを少なくとも含み、前記第２の送信ブロックサイズは、第２のリソース割り当ておよび第２の送信ブロックサイズインデックスに少なくとも部分的に基づいて決定されてもよい。
【０１１５】
一実施形態では、表８を参照して説明した実施形態のように、送信設定情報は第２のパラメータセットを含み、第２の繰り返しレベルセットインデックスはそれぞれ、互いに重複しない第２の送信ブロックサイズインデックスのそれぞれのセットに対応する。
【０１１６】
一実施形態では、表８を参照して説明した実施形態のように、送信設定情報は第２のパラメータセットを含み、第２の繰り返しレベルセットインデックスは、第２の送信ブロックサイズインデックのそれぞれのセットに少なくとも部分的に基づいて決定される。
【０１１７】
一実施形態では、表３を参照して説明した実施形態のように、送信設定情報は第２のパラメータセットを含み、伝送パラメータは繰り返し数を少なくとも含み、前記繰り返し数は、第２の繰り返しレベルセットインデックスおよび第２の繰り返しレベルインデックスに少なくとも部分的に基づいて決定される。
【０１１８】
一実施形態では、上述の実施形態のように、送信設定情報は第３のパラメータセットを含み、第３の繰り返しレベルセットインデックスが変調符号化スキームレベルインデックスに少なくとも部分的に基づいて決定される。
【０１１９】
一実施形態では、表９を参照して説明した実施形態のように、送信設定情報は第３のパラメータセットを含み、伝送パラメータは第３の送信ブロックサイズを少なくとも含み、前記第３の送信ブロックサイズは、第３のリソース割り当ておよび第３の送信ブロックサイズインデックスに少なくとも部分的に基づいて決定されてもよい。
【０１２０】
一実施形態では、上述の実施形態のように、送信設定情報は第３のパラメータセットを含み、繰り返しレベルインデックスはそれぞれ、互いに重複しない送信ブロックサイズ範囲のそれぞれに対応する。
【０１２１】
一実施形態では、上述の実施形態のように、送信設定情報は第３のパラメータセットを含み、第３の繰り返しレベルインデックスが第３の送信ブロックサイズおよび各送信ブロックサイズ範囲に少なくとも部分的に基づいて決定される。
【０１２２】
一実施形態では、表３を参照して説明した実施形態のように、送信設定情報は第３のパラメータセットを含み、伝送パラメータは繰り返し数を少なくとも含み、前記繰り返し数は、第３の繰り返しレベルセットインデックスおよび第３の繰り返しレベルインデックスに少なくとも部分的に基づいて決定される。
【０１２３】
各種実施形態では、上述の実施形態のように、大きめの送信ブロックサイズは大きいパケットの送信用で、小さめの送信ブロックサイズは小さいパケットの送信用である。
【０１２４】
各種実施形態では、送信手段は、放送信号、ユーザ機器指定無線リソース制御シグナリング、および物理層シグナリングの内の少なくとも１つによって送信設定情報を送信するようにさらに構成される。
【０１２５】
本開示の一態様では、移動端末等の装置が提供される。図５は、上述の方法を実施する際に有用な移動端末１００を示す。図５に示すように、移動要素１００は、プロセッサデバイス５０４と、メモリ５０５と、プロセッサ５０４と通信状態にある無線モデムサブシステム５０１とを含む。無線モデムサブシステム５０１は、少なくとも１つの送信部５０２と、少なくとも１つの受信部５０３とを含む。図５ではプロセッサは１つのみ示されているが、プロセッサデバイス５０４は、複数のプロセッサを含んでも、マルチコアプロセッサを含んでもよい。さらに、プロセッサデバイス５０４は、処理動作を促進するためのキャッシュを含んでもよい。
【０１２６】
コンピュータ実行可能な命令は、メモリ５０５ にロード可能であり、プロセッサデバイス５０４によって実行されると、移動端末１００に無線ネットワークにおいて上述の方法を実施させる。特に、コンピュータ実行可能な命令は、移動端末１００に、伝送パラメータを決定するためにネットワーク要素によって使用される送信設定情報を送信させ、送信設定情報に少なくとも部分的に基づいてネットワーク要素によって使用される伝送パラメータを決定させることができる。前記送信設定情報は、第１のパラメータセット、第２のパラメータセット、または第３のパラメータセットを含む。第１のパラメータセットは、第１の繰り返しレベルセットインデックス、第１の繰り返しレベルインデックス、第１のリソース割り当て、および第１の送信ブロックサイズインデックスを少なくとも含む。第２のパラメータセットは、第２の繰り返しレベルインデックス、第２のリソース割り当て、および第２の送信ブロックサイズインデックスを少なくとも含む。第３のパラメータセットは、変調符号化スキームレベルインデックス、第３のリソース割り当て、および第３の送信ブロックサイズインデックスを少なくとも含む。
【０１２７】
一実施形態では、表３を参照して説明した実施形態のように、送信設定情報は第１のパラメータセットを含み、伝送パラメータは繰り返し数を少なくとも含み、前記繰り返し数は、１の繰り返しレベルセットインデックスおよび第１の繰り返しレベルインデックスに少なくとも部分的に基づいて決定されてもよい。
【０１２８】
一実施形態では、表４を参照して説明した実施形態のように、送信設定情報は第１のパラメータセットを含み、１つの第１の繰り返しレベルセットインデックスは２つ以上の第１の送信ブロックサイズインデックスに対応してもよい。
【０１２９】
一実施形態では、表４を参照して説明した実施形態のように、送信設定情報は第１のパラメータセットを含み、伝送パラメータは送信ブロックサイズを少なくとも含み、前記送信ブロックサイズは第１の繰り返しレベルセットインデックス、第１のリソース割り当て、第１の送信ブロックサイズインデックスに少なくとも部分的に基づいて決定されてもよい。
【０１３０】
一実施形態では、送信設定情報は第１のパラメータセットを含み、第１の繰り返しレベルセットインデックスおよび第１の繰り返しレベルインデックスの受信頻度は、第１のリソース割り当ておよび第１の送信ブロックサイズインデックスの受信頻度以下である。
【０１３１】
一実施形態では、表８を参照して説明した実施形態のように、送信設定情報は第２のパラメータセットを含み、伝送パラメータは第２の送信ブロックサイズを少なくとも含み、前記第２の送信ブロックサイズは、第２のリソース割り当ておよび第２の送信ブロックサイズインデックスに少なくとも部分的に基づいて決定されてもよい。
【０１３２】
一実施形態では、表８を参照して説明した実施形態のように、送信設定情報は第２のパラメータセットを含み、第２の繰り返しレベルセットインデックスはそれぞれ、互いに重複しない第２の送信ブロックサイズインデックスのそれぞれのセットに対応する。
【０１３３】
一実施形態では、表８を参照して説明した実施形態のように、送信設定情報は第２のパラメータセットを含み、第２の繰り返しレベルセットインデックスは、第２の送信ブロックサイズインデックのそれぞれのセットに少なくとも部分的に基づいて決定される。
【０１３４】
一実施形態では、表３を参照して説明した実施形態のように、送信設定情報は第２のパラメータセットを含み、伝送パラメータは繰り返し数を少なくとも含み、前記繰り返し数は、第２の繰り返しレベルセットインデックスおよび第２の繰り返しレベルインデックスに少なくとも部分的に基づいて決定される。
【０１３５】
一実施形態では、上述の実施形態のように、送信設定情報は第３のパラメータセットを含み、第３の繰り返しレベルセットインデックスが変調符号化スキームレベルインデックスに少なくとも部分的に基づいて決定される。
【０１３６】
一実施形態では、表９を参照して説明した実施形態のように、送信設定情報は第３のパラメータセットを含み、伝送パラメータは第３の送信ブロックサイズを少なくとも含み、前記第３の送信ブロックサイズは、第３のリソース割り当ておよび第３の送信ブロックサイズインデックスに少なくとも部分的に基づいて決定されてもよい。
【０１３７】
一実施形態では、上述の実施形態のように、送信設定情報は第３のパラメータセットを含み、繰り返しレベルインデックスはそれぞれ、互いに重複しない送信ブロックサイズ範囲のそれぞれに対応する。
【０１３８】
一実施形態では、上述の実施形態のように、送信設定情報は第３のパラメータセットを含み、第３の繰り返しレベルインデックスが第３の送信ブロックサイズおよび各送信ブロックサイズ範囲に少なくとも部分的に基づいて決定される。
【０１３９】
一実施形態では、表３を参照して説明した実施形態のように、送信設定情報は第３のパラメータセットを含み、伝送パラメータは繰り返し数を少なくとも含み、前記繰り返し数は、第３の繰り返しレベルセットインデックスおよび第３の繰り返しレベルインデックスに少なくとも部分的に基づいて決定される。
【０１４０】
各種実施形態によると、上述の実施形態のように、大きめの送信ブロックサイズは大きいパケットの送信用で、小さめの送信ブロックサイズは小さいパケットの送信用である。
【０１４１】
各種実施形態によると、コンピュータ実行可能な命令は、プロセッサデバイス５０４によって実行されると、移動端末１００に、さらに放送信号、ユーザ機器指定無線リソース制御シグナリング、および物理層シグナリングの内の少なくとも１つによって送信設定情報を受信させることができる。例えば、移動端末はＤＣＩに含まれた送信設定情報を受信できる。
【０１４２】
本開示の一態様では、装置が提供される。この装置は、伝送パラメータを決定するためにネットワーク要素によって使用される送信設定情報を受信するように構成された受信手段と、送信設定情報に少なくとも部分的に基づいてネットワーク要素によって使用される伝送パラメータを決定するように構成された決定手段と、を含む。前記送信設定情報は、第１のパラメータセット、第２のパラメータセット、または第３のパラメータセットを含む。第１のパラメータセットは、第１の繰り返しレベルセットインデックス、第１の繰り返しレベルインデックス、第１のリソース割り当て、および第１の送信ブロックサイズインデックスを少なくとも含む。第２のパラメータセットは、第２の繰り返しレベルインデックス、第２のリソース割り当て、および第２の送信ブロックサイズインデックスを少なくとも含む。第３のパラメータセットは、変調符号化スキームレベルインデックス、第３のリソース割り当て、および第３の送信ブロックサイズインデックスを少なくとも含む。
【０１４３】
一実施形態では、表３を参照して説明した実施形態のように、送信設定情報は第１のパラメータセットを含み、伝送パラメータは繰り返し数を少なくとも含み、決定手段は、第１の繰り返しレベルセットインデックスおよび第１の繰り返しレベルインデックスに少なくとも部分的に基づいて送信の繰り返し数を決定するようにさらに構成されてもよい。
【０１４４】
一実施形態では、表４を参照して説明した実施形態のように、送信設定情報は第１のパラメータセットを含み、１つの第１の繰り返しレベルセットインデックスは２つ以上の第１の送信ブロックサイズインデックスに対応してもよい。
【０１４５】
一実施形態では、表４を参照して説明した実施形態のように、送信設定情報は第１のパラメータセットを含み、伝送パラメータは送信ブロックサイズを少なくとも含み、決定手段は、第１の繰り返しレベルセットインデックス、第１のリソース割り当て、および第１の送信ブロックサイズインデックスに少なくとも部分的に基づいて送信ブロックサイズを決定するようにさらに構成されてもよい。
【０１４６】
一実施形態では、送信設定情報は第１のパラメータセットを含み、第１の繰り返しレベルセットインデックスおよび第１の繰り返しレベルインデックスの受信頻度は、第１のリソース割り当ておよび第１の送信ブロックサイズインデックスの受信頻度以下である。
【０１４７】
一実施形態では、表８を参照して説明した実施形態のように、送信設定情報は第２のパラメータセットを含み、伝送パラメータは第２の送信ブロックサイズを少なくとも含み、前記第２の送信ブロックサイズは、第２のリソース割り当ておよび第２の送信ブロックサイズインデックスに少なくとも部分的に基づいて決定されてもよい。
【０１４８】
一実施形態では、表８を参照して説明した実施形態のように、送信設定情報は第２のパラメータセットを含み、第２の繰り返しレベルセットインデックスはそれぞれ、互いに重複しない第２の送信ブロックサイズインデックスのそれぞれのセットに対応する。
【０１４９】
一実施形態では、表８を参照して説明した実施形態のように、送信設定情報は第２のパラメータセットを含み、第２の繰り返しレベルセットインデックスは、第２の送信ブロックサイズインデックのそれぞれのセットに少なくとも部分的に基づいて決定される。
【０１５０】
一実施形態では、表３を参照して説明した実施形態のように、送信設定情報は第２のパラメータセットを含み、伝送パラメータは繰り返し数を少なくとも含み、前記繰り返し数は、第２の繰り返しレベルセットインデックスおよび第２の繰り返しレベルインデックスに少なくとも部分的に基づいて決定される。
【０１５１】
一実施形態では、上述の実施形態のように、送信設定情報は第３のパラメータセットを含み、第３の繰り返しレベルセットインデックスが変調符号化スキームレベルインデックスに少なくとも部分的に基づいて決定される。
【０１５２】
一実施形態では、表９を参照して説明した実施形態のように、送信設定情報は第３のパラメータセットを含み、伝送パラメータは第３の送信ブロックサイズを少なくとも含み、前記第３の送信ブロックサイズは、第３のリソース割り当ておよび第３の送信ブロックサイズインデックスに少なくとも部分的に基づいて決定されてもよい。
【０１５３】
一実施形態では、上述の実施形態のように、送信設定情報は第３のパラメータセットを含み、繰り返しレベルインデックスはそれぞれ、互いに重複しない送信ブロックサイズ範囲のそれぞれに対応する。
【０１５４】
一実施形態では、上述の実施形態のように、送信設定情報は第３のパラメータセットを含み、第３の繰り返しレベルインデックスが第３の送信ブロックサイズおよび各送信ブロックサイズ範囲に少なくとも部分的に基づいて決定される。
【０１５５】
一実施形態では、表３を参照して説明した実施形態のように、送信設定情報は第３のパラメータセットを含み、伝送パラメータは繰り返し数を少なくとも含み、前記繰り返し数は、第３の繰り返しレベルセットインデックスおよび第３の繰り返しレベルインデックスに少なくとも部分的に基づいて決定される。
【０１５６】
各種実施形態では、上述の実施形態のように、大きめの送信ブロックサイズは大きいパケットの送信用で、小さめの送信ブロックサイズは小さいパケットの送信用である。
【０１５７】
各種実施形態では、受信手段は、放送信号、ユーザ機器指定無線リソース制御シグナリング、および物理層シグナリングの内の少なくとも１つによって送信設定情報を受信するように構成される。例えば、移動端末はＤＣＩに含まれた送信設定情報を受信できる。
【０１５８】
本開示の一態様では、コンピュータ実行可能なプログラム命令が記憶された少なくとも１つの非一時的コンピュータ可読記憶媒体を含むコンピュータプログラムプロダクトが提供され、このコンピュータ実行可能な命令は、実行されると、ネットワーク要素等の装置に上述のように動作させるように構成される。
【０１５９】
本開示の一態様では、コンピュータ実行可能なプログラム命令が記憶された少なくとも１つの非一時的コンピュータ可読記憶媒体を含むコンピュータプログラムプロダクトが提供され、このコンピュータ実行可能な命令は、実行されると、移動端末等の装置に上述のように動作させるように構成される。
【０１６０】
ネットワーク要素および移動要素のいずれの構成要素も、ハードウェアまたはソフトウェアモジュールとして実装することができる。ソフトウェアモジュールの場合、有形の、コンピュータ可読であり記録可能な記憶媒体に実装することができる。例えば、すべてのソフトウェアモジュール（またはその任意のサブセット）が同一の媒体に実装されてもよく、または異なる媒体に実装されてもよい。ソフトウェアモジュールは、例えば、ハードウェアプロセッサ上で動作することができる。方法ステップは、この個別のソフトウェアモジュールを使用して実施し、上述のようにハードウェアプロセッサ上で実行することができる。
【０１６１】
用語「コンピュータプログラム」、「ソフトウェア」、および「コンピュータプログラムコード」は、ある機能を実施する任意のシーケンスや人または機械によって認識可能な任意のステップを含むものを意味する。このようなプログラムは、実質的にいかなるプログラミング言語または環境によって表されていてもよく、これらの例としては、Ｃ／Ｃ＋＋、フォートラン、ＣＯＢＯＬ、ＰＡＳＣＡＬ、アセンブリ言語、マークアップ言語（例えば、ＨＴＭＬ、ＳＧＭＬ、ＸＭＬ）等が挙げられ、また、共通オブジェクトリクエストブローカーアーキテクチャ（Common Object Request Broker Architecture：ＣＯＲＢＡ）、Ｊａｖａ（登録商標）（Ｊ２ＭＥ、ＪａｖａＢｅａｎｓ等を含む）、バイナリランタイム環境（Binary Runtime Environment：ＢＲＥＷ）等のオブジェクト指向環境も挙げられる。
【０１６２】
用語「メモリ」および「記憶装置」は、電気的、磁気的、光学的、電磁的、赤外線、または半導体システム、装置、またはデバイス、あるいはこれらの任意の組合せを含むがこれらに限定されないものを意味する。メモリまたは記憶装置のより特定的な例としては、１つ以上のワイヤを有する電気的接続、携帯用コンピュータディスケット、ハードディスク、ランダムアクセスメモリ（ＲＡＭ）、リードオンリーメモリ（ＲＯＭ）、消去可能プログラム可能ＲＯＭ（ＥＰＲＯＭまたはフラッシュメモリ）、光ファイバ、携帯用コンパクトディスクＲＯＭ（ＣＤ−ＲＯＭ）、光学的記憶装置、磁気的記憶装置、またはこれらの任意の組合せを含むがこれらに限定されない。
【０１６３】
いずれの場合も、本明細書に示す構成要素は、ハードウェア、ソフトウェア、またはこれらの組合せといった様々な形態で実装されてもよく、例えば、特定用途向け集積回路（Application Specific Integrated Circuit：ＡＳＩＣ）、機能回路、適宜プログラミングされた汎用デジタルコンピュータに対応付けられたメモリを伴うもの等が挙げられることが理解されよう。本明細書に開示された内容からの教示によって、当業者は、開示された構成要素の他の実施にも想達することができるであろう。
【０１６４】
本明細書で使用された専門用語は、特定の実施形態を説明する目的のみに用いられたものであり、本開示を限定することを意図するものではない。本明細書で使用されている単数形の「ある」、「１つの」、「前記」という記載は、別途明確な指示がない限り、複数形も含むものと意図される。さらに、本明細書で使用される「含む」という用語は、記載された特徴、整数値、ステップ、動作、要素、および／または構成要素の存在を特定しているが、別の特徴、整数値、ステップ、動作、要素、構成要素、および／またはこれらの群の存在または追加を排除するものではないことを理解されたい。
【０１６５】
各種実施形態を例示のため説明してきたが、これらは開示された実施形態に包括または限定されるものではない。当業者には、記載された実施形態の範囲および趣旨から逸脱することなく、様々な変形例や変更が自明であるであろう。
【０１６６】
本願の原出願（特願２０１７−５５９３２１）の出願当初の願書に添付した特許請求の範囲］に記載された発明は次の通りである。
［発明１］
伝送パラメータを決定するためにネットワーク要素によって使用される送信設定情報を移動端末へと送信することを含む方法であって、前記送信設定情報が、
第１の繰り返しレベルセットインデックス、第１の繰り返しレベルインデックス、第１のリソース割り当て、および第１の送信ブロックサイズインデックスを少なくとも含む第１のパラメータセット、または、
第２の繰り返しレベルインデックス、第２のリソース割り当て、および第２の送信ブロックサイズインデックスを少なくとも含む第２のパラメータセット、または、
変調符号化スキームレベルインデックス、第３のリソース割り当て、および第３の送信ブロックサイズインデックスを少なくとも含む第３のパラメータセット、
を含む、方法。
［発明２］
前記送信設定情報は前記第１のパラメータセットを含み、前記伝送パラメータは繰り返し数を少なくとも含み、前記繰り返し数は、前記第１の繰り返しレベルセットインデックスおよび前記第１の繰り返しレベルインデックスに少なくとも部分的に基づいて決定される、発明１に係る方法。
［発明３］
前記送信設定情報は前記第１のパラメータセットを含み、１つの第１の繰り返しレベルセットインデックスは、２つ以上の第１の送信ブロックサイズインデックスに対応する、発明１または２に係る方法。
［発明４］
前記送信設定情報は前記第１のパラメータセットを含み、前記伝送パラメータは送信ブロックサイズを少なくとも含み、前記送信ブロックサイズは、前記第１の繰り返しレベルセットインデックス、前記第１のリソース割り当て、および前記第１の送信ブロックサイズインデックスに少なくとも部分的に基づいて決定される、発明１から３のいずれかに係る方法。
［発明５］
前記送信設定情報は前記第１のパラメータセットを含み、前記第１の繰り返しレベルセットインデックスおよび前記第１の繰り返しレベルインデックスの送信頻度は、前記第１のリソース割り当ておよび前記第１の送信ブロックサイズインデックスの送信頻度以下である、発明１から４のいずれかに係る方法。
［発明６］
伝送パラメータを決定するために使用する送信設定情報を移動端末へと送信するように構成された送信手段を備える装置であって、前記送信設定情報が、
第１の繰り返しレベルセットインデックス、第１の繰り返しレベルインデックス、第１のリソース割り当て、および第１の送信ブロックサイズインデックスを少なくとも含む第１のパラメータセット、または、
第２の繰り返しレベルインデックス、第２のリソース割り当て、および第２の送信ブロックサイズインデックスを少なくとも含む第２のパラメータセット、または、
変調符号化スキームレベルインデックス、第３のリソース割り当て、および第３の送信ブロックサイズインデックスを少なくとも含む第３のパラメータセット、
を含む、装置。
［発明７］
前記送信設定情報は前記第１のパラメータセットを含み、前記伝送パラメータは繰り返し数を少なくとも含み、前記繰り返し数は、前記第１の繰り返しレベルセットインデックスおよび前記第１の繰り返しレベルインデックスに少なくとも部分的に基づいて決定される、発明６に係る装置。
［発明８］
前記送信手段は、放送信号、ユーザ機器指定無線リソース制御シグナリング、および物理層シグナリングの内の少なくとも１つによって前記送信設定情報を送信するようにさらに構成される、発明６または７に係る装置。
［発明９］
少なくとも１つのプロセッサと、コンピュータプログラムコードを含む少なくとも１つのメモリとを備える装置であって、前記少なくとも１つのメモリおよび前記コンピュータプログラムコードは、前記少なくとも１つのプロセッサとともに、前記装置に、
伝送パラメータを決定するために前記装置によって使用される送信設定情報を移動端末へと送信させるように構成され、前記送信設定情報が、
第１の繰り返しレベルセットインデックス、第１の繰り返しレベルインデックス、第１のリソース割り当て、および第１の送信ブロックサイズインデックスを少なくとも含む第１のパラメータセット、または、
第２の繰り返しレベルインデックス、第２のリソース割り当て、および第２の送信ブロックサイズインデックスを少なくとも含む第２のパラメータセット、または、
変調符号化スキームレベルインデックス、第３のリソース割り当て、および第３の送信ブロックサイズインデックスを少なくとも含む第３のパラメータセット、
を含む、装置。
［発明１０］
前記送信設定情報は前記第１のパラメータセットを含み、前記伝送パラメータは繰り返し数を少なくとも含み、前記繰り返し数は、前記第１の繰り返しレベルセットインデックスおよび前記第１の繰り返しレベルインデックスに少なくとも部分的に基づいて決定される、発明９に係る装置。
［発明１１］
前記送信設定情報は前記第１のパラメータセットを含み、１つの第１の繰り返しレベルセットインデックスは、２つ以上の第１の送信ブロックサイズインデックスに対応する、発明９または１０に係る装置。
［発明１２］
前記送信設定情報は前記第１のパラメータセットを含み、前記伝送パラメータは送信ブロックサイズを少なくとも含み、前記送信ブロックサイズは、前記第１の繰り返しレベルセットインデックス、前記第１のリソース割り当て、および前記第１の送信ブロックサイズインデックスに少なくとも部分的に基づいて決定される、発明９から１１のいずれかに係る装置。
［発明１３］
前記送信設定情報は前記第１のパラメータセットを含み、前記第１の繰り返しレベルセットインデックスおよび前記第１の繰り返しレベルインデックスの送信頻度は、前記第１のリソース割り当ておよび前記第１の送信ブロックサイズインデックスの送信頻度以下である、発明９から１２のいずれかに係る装置。
［発明１４］
前記送信設定情報は前記第２のパラメータセットを含み、前記伝送パラメータは、第２の送信ブロックサイズを少なくとも含み、前記第２の送信ブロックサイズは、前記第２のリソース割り当ておよび前記第２の送信ブロックサイズインデックスに少なくとも部分的に基づいて決定される、発明９に係る装置。
［発明１５］
前記送信設定情報は前記第２のパラメータセットを含み、第２の繰り返しレベルセットインデックスはそれぞれ、互いに重複しない第２の送信ブロックサイズインデックスのそれぞれのセットに対応する、発明１４に係る装置。
［発明１６］
前記送信設定情報は前記第２のパラメータセットを含み、前記第２の繰り返しレベルセットインデックスは、前記第２の送信ブロックサイズインデックスのそれぞれのセットに少なくとも部分的に基づいて決定される、発明１５に係る装置。
［発明１７］
前記送信設定情報は前記第２のパラメータセットを含み、前記伝送パラメータは繰り返し数を少なくとも含み、前記繰り返し数は、前記第２の繰り返しレベルセットインデックスおよび前記第２の繰り返しレベルインデックスに少なくとも部分的に基づいて決定される、発明１６に係る装置。
［発明１８］
前記送信設定情報は前記第３のパラメータセットを含み、第３の繰り返しレベルセットインデックスが前記変調符号化スキームレベルインデックスに少なくとも部分的に基づいて決定される、発明９に係る装置。
［発明１９］
前記送信設定情報は前記第３のパラメータセットを含み、前記伝送パラメータは第３の送信ブロックサイズを少なくとも含み、前記第３の送信ブロックサイズは、前記第３のリソース割り当ておよび前記第３の送信ブロックサイズインデックスに少なくとも部分的に基づいて決定される、発明９または１８に係る装置。
［発明２０］
前記送信設定情報は前記第３のパラメータセットを含み、繰り返しレベルインデックスはそれぞれ、互いに重複しない送信ブロックサイズ範囲に対応する、発明１９に係る装置。
［発明２１］
前記送信設定情報は前記第３のパラメータセットを含み、第３の繰り返しレベルインデックスが前記第３の送信ブロックサイズおよび前記送信ブロックサイズ範囲に少なくとも部分的に基づいて決定される、発明２０に係る装置。
［発明２２］
前記送信設定情報は前記第３のパラメータセットを含み、前記伝送パラメータは繰り返し数を少なくとも含み、前記繰り返し数は、前記第３の繰り返しレベルセットインデックスおよび前記第３の繰り返しレベルインデックスに少なくとも部分的に基づいて決定される、発明２１に係る装置。
［発明２３］
大きめの送信ブロックサイズは大きいパケットの送信用で、小さめの送信ブロックサイズは小さいパケットの送信用である、発明９から２２のいずれかに係る装置。
［発明２４］
前記少なくとも１つのメモリおよび前記コンピュータプログラムコードは、前記少なくとも１つのプロセッサとともに、前記装置に、放送信号、ユーザ機器指定無線リソース制御シグナリング、および物理層シグナリングの内の少なくとも１つによって前記送信設定情報を送信させるように構成される、発明９から２３のいずれかに係る装置。
［発明２５］
伝送パラメータを決定するためにネットワーク要素によって使用される送信設定情報を受信することと、
前記送信設定情報に少なくとも部分的に基づいて前記ネットワーク要素によって使用される伝送パラメータを決定することと、
を含む方法であって、前記送信設定情報が、
第１の繰り返しレベルセットインデックス、第１の繰り返しレベルインデックス、第１のリソース割り当て、および第１の送信ブロックサイズインデックスを少なくとも含む第１のパラメータセット、または、
第２の繰り返しレベルインデックス、第２のリソース割り当て、および第２の送信ブロックサイズインデックスを少なくとも含む第２のパラメータセット、または、
変調符号化スキームレベルインデックス、第３のリソース割り当て、および第３の送信ブロックサイズインデックスを少なくとも含む第３のパラメータセット、
を含む、方法。
［発明２６］
前記送信設定情報は前記第１のパラメータセットを含み、前記伝送パラメータは繰り返し数を少なくとも含み、前記繰り返し数は、前記第１の繰り返しレベルセットインデックスおよび前記第１の繰り返しレベルインデックスに少なくとも部分的に基づいて決定される、発明２５に係る方法。
［発明２７］
前記送信設定情報は前記第１のパラメータセットを含み、１つの第１の繰り返しレベルセットインデックスは、２つ以上の第１の送信ブロックサイズインデックスに対応する、発明２５または２６に係る方法。
［発明２８］
前記送信設定情報は前記第１のパラメータセットを含み、前記伝送パラメータは送信ブロックサイズを少なくとも含み、前記送信ブロックサイズは、前記第１の繰り返しレベルセットインデックス、前記第１のリソース割り当て、および前記第１の送信ブロックサイズインデックスに少なくとも部分的に基づいて決定される、発明２５から２７のいずれかに係る方法。
［発明２９］
前記送信設定情報は前記第１のパラメータセットを含み、前記第１の繰り返しレベルセットインデックスおよび前記第１の繰り返しレベルインデックスの受信頻度は、前記第１のリソース割り当ておよび前記第１の送信ブロックサイズインデックスの受信頻度以下である、発明２５から２８のいずれかに係る方法。
［発明３０］
前記受信することは、放送信号、ユーザ機器指定無線リソース制御シグナリング、および物理層シグナリングの内の少なくとも１つによって前記送信設定情報を受信することを含む、発明２５から２９のいずれかに係る方法。
［発明３１］
伝送パラメータを決定するためにネットワーク要素によって使用される送信設定情報を受信するように構成された受信手段と、
前記送信設定情報に少なくとも部分的に基づいて前記ネットワーク要素によって使用される伝送パラメータを決定するように構成された決定手段と、
を備える装置であって、前記送信設定情報が、
第１の繰り返しレベルセットインデックス、第１の繰り返しレベルインデックス、第１のリソース割り当て、および第１の送信ブロックサイズインデックスを少なくとも含む第１のパラメータセット、または、
第２の繰り返しレベルインデックス、第２のリソース割り当て、および第２の送信ブロックサイズインデックスを少なくとも含む第２のパラメータセット、または、
変調符号化スキームレベルインデックス、第３のリソース割り当て、および第３の送信ブロックサイズインデックスを少なくとも含む第３のパラメータセット、
を含む、装置。
［発明３２］
前記送信設定情報は前記第１のパラメータセットを含み、前記伝送パラメータは繰り返し数を少なくとも含み、前記繰り返し数は、前記第１の繰り返しレベルセットインデックスおよび前記第１の繰り返しレベルインデックスに少なくとも部分的に基づいて決定される、発明３１に係る装置。
［発明３３］
少なくとも１つのプロセッサと、
コンピュータプログラムコードを含む少なくとも１つのメモリと、を備える装置であって、
前記少なくとも１つのメモリおよび前記コンピュータプログラムコードは、前記少なくとも１つのプロセッサとともに、前記装置に、
伝送パラメータを決定するためにネットワーク要素によって使用される送信設定情報を受信させ、
前記送信設定情報に少なくとも部分的に基づいて前記ネットワーク要素によって使用される伝送パラメータを決定させるように構成され、
前記送信設定情報が、
第１の繰り返しレベルセットインデックス、第１の繰り返しレベルインデックス、第１のリソース割り当て、および第１の送信ブロックサイズインデックスを少なくとも含む第１のパラメータセット、または、
第２の繰り返しレベルインデックス、第２のリソース割り当て、および第２の送信ブロックサイズインデックスを少なくとも含む第２のパラメータセット、または、
変調符号化スキームレベルインデックス、第３のリソース割り当て、および第３の送信ブロックサイズインデックスを少なくとも含む第３のパラメータセット、
を含む、装置。
［発明３４］
前記送信設定情報は前記第１のパラメータセットを含み、前記伝送パラメータは繰り返し数を少なくとも含み、前記繰り返し数は、前記第１の繰り返しレベルセットインデックスおよび前記第１の繰り返しレベルインデックスに少なくとも部分的に基づいて決定される、発明３３に係る装置。
［発明３５］
前記送信設定情報は前記第１のパラメータセットを含み、１つの第１の繰り返しレベルセットインデックスは、２つ以上の第１の送信ブロックサイズインデックスに対応する、発明３３または３４に係る装置。
［発明３６］
前記送信設定情報は前記第１のパラメータセットを含み、前記伝送パラメータは送信ブロックサイズを少なくとも含み、前記送信ブロックサイズは、前記第１の繰り返しレベルセットインデックス、前記第１のリソース割り当て、および前記第１の送信ブロックサイズインデックスに少なくとも部分的に基づいて決定される、発明３３から３５のいずれかに係る装置。
［発明３７］
前記送信設定情報は前記第１のパラメータセットを含み、前記第１の繰り返しレベルセットインデックスおよび前記第１の繰り返しレベルインデックスの受信頻度は、前記第１のリソース割り当ておよび前記第１の送信ブロックサイズインデックスの受信頻度以下である、発明３３から３６のいずれかに係る装置。
［発明３８］
大きめの送信ブロックサイズは大きいパケットの送信用で、小さめの送信ブロックサイズは小さいパケットの送信用である、発明３３から３７のいずれかに係る装置。
［発明３９］
前記少なくとも１つのメモリおよび前記コンピュータプログラムコードは、前記少なくとも１つのプロセッサとともに、前記装置に、放送信号、ユーザ機器指定無線リソース制御シグナリング、および物理層シグナリングの内の少なくとも１つによって前記送信設定情報を受信させるように構成される、発明３３から３８のいずれかに係る装置。
［発明４０］
コンピュータ実行可能なプログラム命令が記憶された少なくとも１つの非一時的コンピュータ可読記憶媒体を含むコンピュータプログラムプロダクトであって、前記コンピュータ実行可能な命令は、実行されると、装置に発明１から５のいずれかの記載に従って動作させるように構成される、コンピュータプログラムプロダクト。
［発明４１］
コンピュータ実行可能なプログラム命令が記憶された少なくとも１つの非一時的コンピュータ可読記憶媒体を含むコンピュータプログラムプロダクトであって、前記コンピュータ実行可能な命令は、実行されると、装置に発明２５から３０のいずれかの記載に従って動作させるように構成される、コンピュータプログラムプロダクト。
【図１】
2020039170.tif 000044
【図２】
2020039170.tif 000045
【図３】
2020039170.tif 000046
【図４】
2020039170.tif 000047
【図５】
2020039170.tif 000048